(57)【要約】【課題】音声が聞こえにくい浴室などの個室に人が居る状況で、さらに、リラックスして注意力が低下している人に災害の予報を通知して迅速な対応を喚起する。【解決手段】サービスゲートウェイ１０は、屋内の部屋に臭いを放出する香り発生装置８を駆動する臭い放出駆動部１６と、部屋に人が居るか否かを検知する人感センサ７からの信号を受信する人検知部１７と、災害の発生を通報するための災害予報情報を受信する災害予報情報受信部１８と、災害予報情報が受信され、かつ、人検知部で人が居ることが検知された場合、臭い放出駆動部１６を制御する臭い放出制御部１９とを備える。【選択図】図２
2008282151.tif 000002
【特許請求の範囲】
【請求項１】
屋内の部屋に臭いを放出する臭い放出装置を駆動する臭い放出駆動部と、
前記部屋に人が居るか否かを検知する人感センサからの信号を受信する人検知部と、
災害の発生を通報するための災害予報情報を受信する災害予報情報受信部と、
前記災害予報情報受信部によって前記災害予報情報が受信され、かつ、前記人検知部によって前記部屋に人が居ることが検知されたなら、前記臭い放出駆動部を制御する臭い放出制御部と
を備えたことを特徴とする災害予報通報装置。
【請求項２】
前記臭い放出制御部は、
前記災害予報情報が受信された時点から時間が経過するにつれて臭いの強さを変化させるよう前記臭い放出駆動部を制御することを特徴とする請求項１記載の災害予報通報装置。
【請求項３】
前記臭い放出制御部は、
前記災害予報情報が受信されてから一定時間毎に臭いの量を多くするよう前記臭い放出駆動部を制御することを特徴とする請求項２記載の災害予報通報装置。
【請求項４】
前記臭い放出制御部は、
前記災害予報情報が受信された時点から時間が経過するにつれて臭いの種類を変更するよう前記臭い放出駆動部を制御することを特徴とする請求項１記載の災害予報通報装置。
【請求項５】
屋内の部屋に人が居るか否かを検知する人感センサからの信号を人検知部が受信し、
災害の発生を通報するための災害予報情報を災害予報情報受信部が受信し、
前記人検知部で人が居ることが検知されたなら、屋内の部屋に臭いを放出する臭い放出装置を駆動する臭い放出駆動部を臭い放出制御部が制御することを特徴とする災害予報通報方法。
【請求項６】
前記臭い放出制御部が、
前記災害予報情報が受信された時点から時間が経過するにつれて臭いの強さを変化させるよう前記臭い放出駆動部を制御することを特徴とする請求項５記載の災害予報通報方法。
【請求項７】
前記臭い放出制御部が、
前記災害予報情報が受信されてから一定時間毎に臭いの量を多くするよう前記臭い放出駆動部を制御することを特徴とする請求項６記載の災害予報通報方法。
【請求項８】
前記臭い放出制御部が、
前記災害予報情報が受信された時点から時間が経過するにつれて臭いの種類を変更するよう前記臭い放出駆動部を制御することを特徴とする請求項５記載の災害予報通報方法。
【発明の詳細な説明】
【技術分野】
【０００１】
本発明は、地震などの災害が発生したときの予報を通報する災害予報通報装置および災害予報通報方法に関する。
【背景技術】
【０００２】
従来、地震が発生したときの情報を利用者に提供する装置としては、地震が一定以上の強度に達したことを地震計が計測すると、地震情報に関わる映像を映像入力端末が撮影し、利用者は、直ちにその地震情報を映像で見ることができるものが知られている（例えば、特許文献１参照）。
【０００３】
また、近年、地震の主要動が到達する前に予測震度や予測時間をインターネット経由で音声により通知する「ＩＴ自動防災システム」の実証実験が進められている。「ＩＴ自動防災システム」は、地震の主要動が到達する前に予測震度や予測時間をインターネット経由で音声により通知するサービスを実現するためのものである。例えば、「○○地域、緊急地震予告！震度○！あと○○秒後！」という音声で通知が行われる（例えば、非特許文献１参照）。
【０００４】
より詳細に説明すれば、ＩＴ自動防災システムは、気象庁から発信された緊急地震速報をサーバで受信し、受信したサーバは、地域毎に予測される震度や到達時間に関わる情報を各家庭の通信装置に配信し、通信装置は、配信された情報から計算された予測震度や到達時間を通知する。
【特許文献１】特開平０７−２６４５７２号公報
【非特許文献１】“「１０秒後に震度７！」揺れる前にインターネット経由で家庭に地震を予告”、［online]、［平成１９年３月５日検索］、インターネット（ＵＲＬ：http://internet.watch.impress.co.jp/cda/news/2005/01/13/6047.html）
【発明の開示】
【発明が解決しようとする課題】
【０００５】
しかしながら、ＩＴ自動防災システムを実現する従来の装置では、地震発生時の予報を通報する際に音声で地震の予報を人間に通報するため、例えば人間が浴室にいるときシャワーなどの発する音で、地震の予報を知らせる音声を聞くことができないという課題が残されていた。
【０００６】
本発明は、従来の課題を解決するためになされたもので、音声が聞こえにくい浴室などの個室に人が居る状況で、さらに、リラックスして注意力が低下している人に災害の予報を通知して迅速な対応を喚起できる災害予報通報装置および災害予報通報方法を提供することを目的とする。
【課題を解決するための手段】
【０００７】
本発明の災害予報通報装置は、屋内の部屋に臭いを放出する臭い放出装置を駆動する臭い放出駆動部と、前記部屋に人が居るか否かを検知する人感センサからの信号を受信する人検知部と、災害の発生を通報するための災害予報情報を受信する災害予報情報受信部と、前記災害予報情報受信部によって前記災害予報情報が受信され、かつ、前記人検知部によって前記部屋に人が居ることが検知されたなら、前記臭い放出駆動部を制御する臭い放出制御部とを備えたことを特徴とする
本発明の災害予報通報方法は、屋内の部屋に人が居るか否かを検知する人感センサからの信号を人検知部が受信し、災害の発生を通報するための災害予報情報を災害予報情報受信部が受信し、前記人検知部で人が居ることが検知されたなら、屋内の部屋に臭いを放出する臭い放出装置を駆動する臭い放出駆動部を臭い放出制御部が制御することを特徴とする。
【０００８】
これらの本発明によれば、屋内の部屋に臭いを放出することを制御するため、浴室などの個室で音声が聞こえない状況でも、人に災害の予報を通知して迅速な対応を喚起できる。
【０００９】
また、本発明の災害予報通報装置は、前記臭い放出制御部は、前記災害予報情報が受信された時点から時間が経過するにつれて臭いの強さを変化させるよう前記臭い放出駆動部を制御することを特徴とする。
【００１０】
また、本発明の災害予報通報方法は、前記臭い放出制御部が、前記災害予報情報が受信された時点から時間が経過するにつれて臭いの強さを変化させるよう前記臭い放出駆動部を制御することを特徴とする。
【００１１】
これらの本発明によれば、例えば、時間が経過するにつれて臭いの強さが強くなるため、臭いに鈍感な人でも災害の予報を通知して迅速な対応を喚起できる。
【００１２】
また、本発明の災害予報通報装置は、前記臭い放出制御部は、前記災害予報情報が受信されてから一定時間毎に臭いの量を多くするよう前記臭い放出駆動部を制御することを特徴とする。
【００１３】
また、本発明の災害予報通報方法は、前記臭い放出制御部が、前記災害予報情報が受信されてから一定時間毎に臭いの量を多くするよう前記臭い放出駆動部を制御することを特徴とする。
【００１４】
これらの本発明によれば、時間が経過するにつれて臭いの強さが強くなるため、臭いに鈍感な人でも災害の予報を通知して迅速な対応を喚起できる。
【００１５】
また、本発明の災害予報通報装置は、前記臭い放出制御部は、前記災害予報情報が受信された時点から時間が経過するにつれて臭いの種類を変更するよう前記臭い放出駆動部を制御することを特徴とする。
【００１６】
また、本発明の災害予報通報方法は、前記臭い放出制御部が、前記災害予報情報が受信された時点から時間が経過するにつれて臭いの種類を変更するよう前記臭い放出駆動部を制御することを特徴とする。
【００１７】
これらの本発明によれば、時間が経過するにつれて臭いの種類が変化するため、特定の臭いに気がつかない人でも災害の予報を通知して迅速な対応を喚起できる。
【発明の効果】
【００１８】
本発明によれば、音声が聞こえない状況でも人に災害の予報を通知して迅速な対応を喚起できる。
【発明を実施するための最良の形態】
【００１９】
以下、本発明の実施の形態について、図面を参照して説明する。
【００２０】
本発明の実施の形態に係る災害対策システムのシステム構成図を図１に示す。図１に示した災害対策システムは、ネットワーク２１を介して地震速報を配信する地震速報サーバ２０と、屋内のＬＡＮ（Local Area Network）に接続されているブロードバンド（図および以下の説明では「ＢＢ」と示す）ルータ２２、ＤＶＤレコーダ２３、ウェブカメラ２、サービスゲートウェイ（図では「ＳＧＷ」と示す）１０を備えている。サービスゲートウェイ１０は、本発明の災害予報通報装置に相当し、本発明の災害予報通報方法を行う。
【００２１】
ＢＢルータ２２は、ネットワーク２１に接続されている装置と、屋内のＬＡＮに接続されている装置とが送受信する情報をスイッチングするルータである。
【００２２】
ＤＶＤ（Digital Versatile Disk）レコーダ２３は、テレビ放送用の電波の信号を受信し、テレビ放送の番組の内容を録画するものであり、ウェブカメラ２は、屋内やその周辺に設置されており、設置されている場所の様子を示す映像信号を送信するものである。なお、ウェブカメラ２で撮像された映像は、ＬＡＮを介してサービスゲートウェイ１０に接続されたディスプレイ装置６に表示することができる。
【００２３】
サービスゲートウェイ１０は、屋内外に設置された機器を制御、管理する装置であり、本発明の実施の形態ではＢＢルータ２２を介して地震速報サーバ２０から送信される地震速報を受信した場合、屋内に設置された機器を制御するようになっている。
【００２４】
なお、地震速報は、これから発生する地震に関する情報であり、例えば、「震度○！あと○○秒後！」などの地震の到着予想時刻、予測震度が特定できるような情報、さらに、震源地、震源地の震度に関する情報が含まれるようにしてもよい。
【００２５】
また、図１に示すように、サービスゲートウェイ１０には、屋内に設置されるインタホンインタフェース（図では「インタホンＩ／Ｆ」と示す）３、窓開閉モータ４、調光装置５、ディスプレイ装置６、人感センサ７および香り発生装置８（臭い放出装置）が接続されている。
【００２６】
インタホンインタフェース３は、戸外に設定されたインタホン３Ａとサービスゲートウェイ１０とを接続するためのインタフェースである。窓開閉モータ４は、窓４Ａやドア（図示せず）などの開閉対象物の開閉を制御するためのモータである。
【００２７】
調光装置５は、屋内に設置された照明器具５Ａの明りを調光するための装置である。ディスプレイ装置６は、例えば、地震速報受信時などの緊急時にサービスゲートウェイ１０からの緊急情報を表示するための装置である。ディスプレイ装置６と共に、音声で緊急情報を利用者に通知するためのスピーカを備えるようにしてもよい。
【００２８】
人感センサ７は、屋内の部屋に人が居るか否かを検知するセンサであり、香り発生装置８は、屋内の部屋に臭いを放出する装置である。また、香り発生装置８は、香料容器内に揮発する香料の気体成分で調香することができ、サービスゲートウェイ１０で制御することにより、臭いの種類もリアルタイムで変更でき、臭いの放出量も変更できる。
【００２９】
なお、サービスゲートウェイ１０の接点は、例えば無電圧接点であり、サービスゲートウェイ１０との接続には、ＲＳ２３２Ｃ等が用いられる。
【００３０】
ここで、本発明の実施の形態に係るサービスゲートウェイ１０の装置構成図を図２に示す。
【００３１】
サービスゲートウェイ１０は、例えば、プログラムを実行するＣＰＵ等からなる制御部１１、ＲＯＭやＲＡＭ等からなるメモリ１２、ハードディスク装置１３、ＬＡＮなどのネットワークを介して情報を送受信するネットワークインタフェース１４、キーボードやマウス等からなる入力部１５によって構成される。
【００３２】
なお、本発明の実施の形態では、声が聞こえにくい浴室などの部屋９に香り発生装置８および人感センサ７が設置されているものとする。香り発生装置８は、本発明の臭い放出装置に相当する。
【００３３】
また、図２に示した臭い放出駆動部１６、人検知部１７、災害予報情報受信部１８、および臭い放出制御部１９は、例えば、プログラムのモジュールであり、制御部１１によって実行される。
【００３４】
臭い放出駆動部１６は、屋内の部屋９に臭いを放出する香り発生装置８を駆動する。香り発生装置８が放つ臭いは、主に、人に警告するためのものであって刺激のある臭いが好ましい。また、臭い放出駆動部１６は、臭いの発生量を調節したり、異なる種類の臭いを香り発生装置８から発生させることができる。
【００３５】
人検知部１７は、屋内の部屋９に人３０が居るか否かを検知する人感センサ７からの信号を受信することで、人３０の存在を検知することができる。
【００３６】
災害予報情報受信部１８は、災害の発生を通報するための災害予報情報をネットワークインタフェース１４を介して地震速報サーバ２０から受信する。災害予報情報には、地震速報も含まれており、災害予報情報受信部１８は、地震速報を受信することで、例えば、「震度○！あと○○秒後！」などの地震の予想震度や到着予想時刻を特定できる情報を受信することができる。
【００３７】
臭い放出制御部１９は、災害予報情報受信部１８によって災害予報情報が受信された場合、人検知部１７で人が居ることを検知したときに臭い放出駆動部１６を制御する。例えば、臭い放出制御部１９は、災害予報情報が受信された時点から時間が経過するにつれて臭いの強さを変化させるよう前記臭い放出駆動部を制御してもよい。
【００３８】
また、臭い放出制御部１９は、例えば、災害予報情報が受信されてから一定時間毎に臭いの量を多くするよう臭い放出駆動部１６を制御してもよいし、災害予報情報が受信された時点から時間が経過するにつれて臭いの種類を変更するよう臭い放出駆動部１６を制御してもよい。
【００３９】
以上のように構成された本発明の実施の形態に係るサービスゲートウェイ１０の動作の一例について、図面を参照して説明する。図３は、本発明の実施の形態に係るサービスゲートウェイ１０の動作を示すフローチャートである。
【００４０】
なお、本発明の実施の形態では、災害の予報を示す映像が見られず音声が聞こえにくい浴室に人３０がいてシャワーなどを浴びている状況を想定したものについて以下に説明する。なお、浴室には、人感センサ７および香り発生装置８が設置されているものとする。
【００４１】
まず、災害予報情報受信部１８が災害予報情報を受信した場合（Ｓ１）、これからやってくる地震に備えて、臭い放出制御部１９は、人検知部１７で人３０が浴室に居ることを検知したか否かを判定し（Ｓ２）、人３０が浴室に居る場合、メモリ１２から臭い放出制御情報を読み出す（Ｓ３）。なお、サービスゲートウェイ１０は、災害予報情報を受信すると同時に、明かりや音で、地震が到着することを屋内に居る者に警報するようにしてもよい。
【００４２】
次に、臭い放出制御部１９は、読み出した臭い放出制御情報に従って臭い放出駆動部１６を制御して香り発生装置８に臭いを放出させる（Ｓ４）。なお、臭い放出制御情報の詳細を図４に示す。臭い放出制御情報は、臭いの放出をどのように制御するのかを記述したものであり、図４（ａ）に示した例では、災害予報情報受信部１８が災害予報情報を受信した時点から経過した秒数毎に臭いの量を変化させたものである。
【００４３】
図４（ａ）に示した臭い放出制御情報に従えば、臭い放出制御部１９は、災害予報情報が受信された時点で、予め定められた量の臭いを香り発生装置８に放出させる。その後、さらに災害予報情報が受信された時点から１０秒後にＸｍｌ（Ｘは数値）追加して臭いを香り発生装置８に放出させ、さらに災害予報情報が受信された時点から２０秒後にＹｍｌ（Ｙは数値）追加して臭いを香り発生装置８に放出させ、さらに災害予報情報が受信された時点から３０秒後にＺｍｌ（Ｚは数値）追加して臭いを香り発生装置８に放出させる。
【００４４】
このようにして、人３０が入浴でリラックスし注意力が低下しているときに、臭いで災害発生を通知することで迅速な対応を喚起できる。万が一、最初の臭いに気が付かないときでも、１０秒おきに臭いの量が順次追加されるため、臭いに気が付き、地震の速報を知ることができる。
【００４５】
なお、臭いの量を追加するタイミングは、一定時間間隔でもよく、災害予報情報に含まれる予測震度に応じて時間間隔を可変にしてもよい。例えば、予測震度が強い場合には、時間間隔を短くするまたは連続して臭いの量を追加し、予測震度が弱い場合には、時間間隔を長くして臭いの量を追加するようにしてもよい。
【００４６】
また、図４（ｂ）に示した臭い放出制御情報に従えば、臭い放出制御部１９は、災害予報情報が受信された時点で、予め定められた種類の臭いを香り発生装置８に放出させる。その後、さらに災害予報情報が受信された時点から１０秒後に種類の異なる刺激臭ＮＡを香り発生装置８に放出させ、さらに災害予報情報が受信された時点から２０秒後に刺激臭ＮＡの種類と異なる刺激臭ＮＢを香り発生装置８に放出させ、さらに災害予報情報が受信された時点から３０秒後に刺激臭ＮＢの種類と異なる刺激臭ＮＣを香り発生装置８に放出させる。
【００４７】
人間の嗅覚は時間と共に刺激臭になれてくるため、一定時間おきに臭いの種類を変えることで常に新鮮な刺激を与え、かつ、特定の臭いに鈍感な人に対しても適切に刺激を与えることができる。刺激臭の内容については、特に限定することなく、芳香などの良い香りでもよく、悪臭などでもよく、臭いを発生させていることに気が付くものであればよい。
【００４８】
また、臭いの量については、災害予報情報が受信された時点から臭い放出制御部１９ができる限り多くの量の臭いを継続したまま香り発生装置８に放出させてもよい。このとき、臭い放出制御部１９は、臭いの種類を変えても変えなくてもよい。
【００４９】
なお、香り発生装置８が放出する刺激臭は、人体に無害であり、石鹸やシャンプーで妨害されない程度の強さが必要である。また、本発明の実施の形態では、人３０が浴室にいてシャワーなどを浴びている状況を想定しているが、浴室に限らずに台所、トイレ、リビング等の様々な部屋で適用可能である。
【００５０】
また、臭いと組み合わせて警報するような場合において、サービスゲートウェイ１０は、耳あるいは目等が不自由な人や老人等を考慮して、災害予報情報を音声としてスピーカで通知すると共にディスプレイ装置６に災害予報情報を表示したり、さらに、災害予報情報が受信されたときに調光装置５を制御して消灯したり点滅するようにしてもよい。
【００５１】
さらに、臭いと組み合わせて警報するような場合において、サービスゲートウェイ１０は、浴室内にいる入浴者を考慮して、シャワーと連動させシャワーが止まっている状態の場合には出水状態にさせ、シャワーが使用されているときにはシャワーを温水から水にかえるなどして、災害予報を喚起することができる。
【００５２】
以上説明したように、本発明の実施の形態に係るサービスゲートウェイ１０によれば、屋内の部屋に臭いを放出することを制御するため、災害の予報を示す映像が見られず音声が聞こえにくい浴室などの個室に人が居る状況で、さらに、リラックスして注意力が低下している人に災害の予報を通知して迅速な対応を喚起できる。
【図面の簡単な説明】
【００５３】
【図１】本発明の実施の形態に係る災害対策システムのシステム構成図である。
【図２】本発明の実施の形態に係るサービスゲートウェイの装置構成図である。
【図３】本発明の実施の形態に係るサービスゲートウェイの動作を示すフローチャートである。
【図４】臭い放出制御情報の詳細を示す図である。
【符号の説明】
【００５４】
２    ウェブカメラ
３    インタホンインタフェース
４    窓開閉モータ
５    調光装置
６    ディスプレイ装置
７    人感センサ
８    香り発生装置
９    部屋
１０    サービスゲートウェイ
１１    制御部
１２    メモリ
１３    ハードディスク装置
１４    ネットワークインタフェース
１５    入力部
１６    臭い放出駆動部
１７    人検知部
１８    災害予報情報受信部
１９    臭い放出制御部
２０    地震速報サーバ
２１    ネットワーク
２２    ＢＢルータ
２３    ＤＶＤレコーダ
３０    人
【図１】
2008282151.tif 000003
【図２】
2008282151.tif 000004
【図３】
2008282151.tif 000005
【図４】
2008282151.tif 000006